(57)【要約】【課題】  反応液を用いた双方向記録を行う記録ヘッドにおいて、適切な予備吐出条件を設定する。【解決手段】  記録ヘッドの往復走査において、反応液の予備吐出は、記録媒体への記録後のタイミングで記録ヘッドの進行方向に対して後方側の吐出口から行い、インクの予備吐出は、反応液の予備吐出が行われていないタイミングで行う。【選択図】  図７
2010194808.tif 000002
【特許請求の範囲】
【請求項１】
色材を有するインクを吐出する複数の吐出口が所定方向に配置されたインク吐出口列及び前記インクと反応する反応液を吐出する複数の吐出口が前記所定方向に配置された反応液吐出口列を有する記録ヘッドであって、前記所定方向と交差する方向に沿って複数の前記反応液吐出口列が前記インク吐出口列を挟むように配列された記録ヘッドを、往復走査しながら記録媒体に対して双方向記録を行うインクジェット記録装置であって、
前記記録ヘッドから前記インク及び前記反応液の予備吐出を行わせる予備吐出手段と、
前記記録ヘッドの走査領域内かつ前記記録媒体の外側に、前記記録ヘッドから予備吐出された前記インク及び前記反応液を受けるための予備吐出受け部とを有し、
前記予備吐出手段は、（Ａ）前記反応液の予備吐出を、往復走査のいずれにおいても、前記複数の反応液吐出口列のうち、走査の進行方向に対して前記インク吐出口列よりも後方側の前記反応液吐出口列から行わせ、（Ｂ）前記インクの予備吐出を、前記反応液の予備吐出が行われていないタイミングで行わせることを特徴とするインクジェット記録装置。
【請求項２】
前記予備吐出手段は、前記反応液の予備吐出を、前記複数の反応液吐出口列のうち、走査の進行方向に対して前記インク吐出口列よりも後方側の前記反応液吐出口列からのみ行わせることを特徴とする請求項１に記載のインクジェット記録装置。
【請求項３】
色材を有するインクを吐出する複数の吐出口が所定方向に配置されたインク吐出口列及び前記インクと反応する反応液を吐出する複数の吐出口が前記所定方向に配置された反応液吐出口列を有する記録ヘッドであって、前記所定方向と交差する方向に沿って複数の前記反応液吐出口列が前記インク吐出口列を挟むように配列された記録ヘッドを、往復走査しながら記録媒体に対して双方向記録を行うインクジェット記録装置であって、
前記記録ヘッドから前記インク及び前記反応液の予備吐出を行わせる予備吐出手段と、
前記記録ヘッドの走査領域内かつ前記記録媒体の外側に、前記記録ヘッドから予備吐出された前記インク及び前記反応液を受けるための予備吐出受け部とを有し、
前記予備吐出手段は、（Ａ）前記反応液の予備吐出を、往復走査のいずれにおいても、走査の進行方向に対して前記インク吐出口列よりも後方側の前記反応液吐出口列からの予備吐出量が前記インク吐出口列よりも前方側の前記反応液吐出口列からの予備吐出量よりも多くなるように行わせ、（Ｂ）前記インクの予備吐出を、前記反応液の予備吐出が行われていないタイミングで行わせることを特徴とするインクジェット記録装置。
【請求項４】
色材を有するインクを吐出する複数の吐出口が所定方向に配置されたインク吐出口列及び前記インクと反応する反応液を吐出する複数の吐出口が前記所定方向に配置された反応液吐出口列を有する記録ヘッドであって、前記所定方向と交差する方向に沿って複数の前記反応液吐出口列が前記インク吐出口列を挟むように配列された記録ヘッドを、往復走査しながら記録媒体に対して双方向記録を行うインクジェット記録装置であって、
前記記録ヘッドから前記インク及び前記反応液の予備吐出を行わせる予備吐出手段と、
前記記録ヘッドの走査領域内かつ前記記録媒体の外側に、前記記録ヘッドから予備吐出された前記インク及び前記反応液を受けるための予備吐出受け部とを有し、
前記予備吐出手段は、（Ａ）前記反応液の予備吐出を、往復走査のいずれにおいても、前記複数の反応液吐出口列のうち、走査の進行方向に対して前記インク吐出口列よりも後方側の前記反応液吐出口列から行わせ、且つ、前記インクの予備吐出を、前記反応液の予備吐出が行われていないタイミングで行わせる第１のモードと、（Ｂ）前記反応液の予備吐出を、往復走査のうち一方の走査において、前記複数の反応液吐出口列から行わせ、且つ、前記インクの予備吐出を、前記反応液の予備吐出が行われていないタイミングで行わせる第２のモードとを実行可能なことを特徴とするインクジェット記録装置。
【請求項５】
前記予備吐出手段は、前記記録ヘッドの所定の走査において、前記インクの予備吐出を記録媒体への記録の前に行わせ、前記反応液の予備吐出を記録媒体への記録の後に行わせることを特徴とする請求項１乃至４に記載のインクジェット記録装置。
【請求項６】
前記予備吐出手段は、前記記録ヘッドの往復走査において、前記インク及び前記反応液の予備吐出を連続する全ての走査において行わせることを特徴とする請求項１乃至５に記載のインクジェット記録装置。
【発明の詳細な説明】
【技術分野】
【０００１】
本発明はインクを吐出する記録ヘッドを用いて記録を行うインクジェット記録装置に関する。さらに言えば、色材を含有するインクと、その色材を有するインクと反応することで凝集する反応液を有するインクジェット記録装置に関する。
【背景技術】
【０００２】
近年、情報機器の普及に伴い、その周辺機器である記録装置も急速に普及している。中でもインクジェット記録装置は、複数のノズルを配列させて吐出口を形成した吐出口面を持つ記録ヘッドを記録媒体に対して走査させ、この走査中に記録ヘッドの各ノズルの吐出口よりインク滴を吐出させて記録を行うものである。このようなインクジェット記録装置は、小型化が容易であり、また比較的簡単にカラー記録を行うことができる等の利点を有するため、急速に普及している。
【０００３】
従来、シアン・マゼンタ・イエロー・ブラックなどの色材を含有するインクにより記録を行う際に反応液を用いるインクジェット記録装置が知られている。この反応液を用いることにより、インクのにじみの抑制や濃度を高めることができる。しかしながら、インクと反応液の両方を備える記録ヘッドを用いると、記録ヘッドのフェイス面に反応液とインクのミストが付着して固着し、吐出不良が生じるという問題が生じやすい。これについて、図５及び図６を用いて説明する。
【０００４】
図５はインクジェット記録装置の断面図の一例であり、図６は予備吐出時の気流状態を示す模式図である。図５において、記録ヘッド３から記録媒体１２の記録表面１３にインクを吐出することにより記録を行い、予備吐出は予備吐出受け８に行われる。予備吐出されたインクは水分が蒸発して増粘し、堆積する。この堆積物によって吐出口面３ｂを有する記録ヘッド３の表面部１１が汚れてしまう可能性があるため、表面部１１と予備吐出受け８までの距離は、表面部１１と記録媒体１２の記録表面１３までの距離よりも広げる必要がある。
【０００５】
しかしながら、表面部１１と予備吐出受け８までの距離を広げると、予備吐出時のインクミストが巻き上がりやすくなってしまう。図５のように、表面部１１と記録表面１３までは距離が短い時は、記録時のインクミストが比較的少ない。一方、図６のように、表面部１１と予備吐出受け８までは距離が長い時は、インクミストが多く発生する。また、近接したノズルから同時にインクや反応液が吐出されると、吐出により発生する気流が重なり合って大きくなる。特に、予備吐出時は全ノズルからインクが吐出されるため、大きな上昇気流が発生する。この上昇気流によってインクミストが巻き上げられ、吐出口面３ｂに付着し、付着したインクと反応液が反応して固着し、吐出不良となってしまう。
【０００６】
このような課題に対し、インクと反応液の予備吐出タイミングを異ならせることにより、予備吐出受け内部でのインクと反応液の反応によるインク固着を防止する方法が提案されている（特許文献１参照）。
【先行技術文献】
【特許文献】
【０００７】
【特許文献１】特開２００７−２５３４０７号公報
【発明の概要】
【発明が解決しようとする課題】
【０００８】
しかしながら、特許文献１に記載の発明を用いても、インクと反応液のインクミストによる記録ヘッドのフェイス面での固着の抑制は不十分であり、改善すべき点がある。すなわち、反応液吐出口列がインク吐出口列の両端に設けられている記録ヘッドを用いて双方向記録を行う場合、両反応液吐出口列から予備吐出を行うと、反応液のインクミストがインク吐出口列に付着しやすい。特に、記録ヘッドが走査しながら予備吐出を行う場合に、進行方向に対して前方の反応液吐出口列から予備吐出された反応液のミストがインク吐出口列に付着しやすいという課題が生じていた。
【０００９】
本発明は、上記課題を解決するため、色材を有するインクと反応液の予備吐出タイミングを制御することにより、予備吐出の際に生じるインクミストに起因する吐出口面のインク固着を抑制するインクジェット記録装置の提供を目的とする。
【課題を解決するための手段】
【００１０】
本発明はこの点に鑑みてなされたもので、色材を有するインクを吐出する複数の吐出口が所定方向に配置されたインク吐出口列及び前記インクと反応する反応液を吐出する複数の吐出口が前記所定方向に配置された複数の反応液吐出口列を有する記録ヘッドであって、前記所定方向と交差する方向に沿って前記複数の反応液吐出口列が前記インク吐出口列を挟むように配列された記録ヘッドを、往復走査しながら記録媒体に対して双方向記録を行うインクジェット記録装置であって、前記記録ヘッドから前記インク及び前記反応液の予備吐出を行わせる予備吐出手段と、前記記録ヘッドの走査領域内かつ前記記録媒体の外側に、前記記録ヘッドから予備吐出された前記インク及び前記反応液を受けるための予備吐出受け部とを有し、前記予備吐出手段は、（Ａ）前記反応液の予備吐出を、往復走査のいずれにおいても記録領域への記録後のタイミングで、複数の前記反応液吐出口列のうち走査の進行方向に対して後方側の前記反応液吐出口列からのみ行わせ、（Ｂ）前記インクの予備吐出を、前記反応液の予備吐出が行われていないタイミングで行わせることを特徴とする。
【発明の効果】
【００１１】
本発明によれば、色材を有するインクと反応液の予備吐出タイミングを制御することにより、予備吐出の際に生じるインクミストの巻き上がりを抑制し、吐出口面のインク固着を改善可能とする。
【図面の簡単な説明】
【００１２】
【図１】本発明の実施形態に関わるインクジェット記録装置の平面図
【図２】本発明の実施形態における記録ヘッドの模式図
【図３】本発明の実施形態における記録ヘッドの模式図
【図４】本発明の実施形態における記録ヘッドの模式図
【図５】本発明の実施形態に関わるインクジェット記録装置の断面図
【図６】本発明の実施形態に関わる予備吐出時の気流状態を示す模式図
【図７】第１の実施形態における予備吐出タイミング及び予備吐出量を示す図
【図８】第２の実施形態における予備吐出タイミング及び予備吐出量を示す図
【図９】第３の実施形態における予備吐出タイミング及び予備吐出量を示す図
【図１０】第３の実施形態における予備吐出タイミング及び予備吐出量を示す図
【図１１】本発明の実施形態との比較例における予備吐出タイミング及び予備吐出量を示す図
【発明を実施するための最良の形態】
【００１３】
＜第１の実施形態＞
以下、図面を参照して本実施形態を詳細に説明する。
【００１４】
＜インクジェット記録装置＞
図１は、本発明の一実施形態に係わるインクジェット記録装置を示す平面図である。
【００１５】
図１において、１は記録媒体の搬送系ユニット（図示せず）を含む各種の機構部を備えた記録装置本体を示している。なお、本実施形態におけるインクジェット記録装置は、シリアル型のインクジェット記録装置となっている。このシリアル型記録装置は、搬送系ユニットによって記録媒体をＹ方向（副走査方向）へと間欠的に搬送すると共に、記録ヘッド３をＹ方向と交差する方向であるＸ方向（主走査方向）へと往復走査させながら記録動作を行う。また、図１に示す記録装置本体１は、比較的大判の記録媒体（例えば、Ａ１サイズ）への記録を行い得るよう、Ｘ方向におけるサイズを大型化した構成となっている。
【００１６】
図１において、２はキャリッジを示している。このキャリッジ２には、記録ヘッド３が着脱可能に搭載される。このキャリッジ２は記録ヘッド３と共に記録媒体の搬送方向と交差する方向（Ｘ方向）に沿って往復走査する。具体的には、キャリッジ２は、Ｘ方向に沿って配置されたガイド軸４に沿って移動可能に支持されると共に、ガイド軸４と略平行に移動する無端ベルト５に固定されている。無端ベルト５は、キャリッジモータ（図示せず）の駆動力によって往復移動し、それによってキャリッジ２をＸ方向（主走査方向）に往復走査させる。
【００１７】
図２乃至図４は、本実施形態におけるキャリッジ２に搭載された記録ヘッド３の模式図である。記録ヘッド３には、図２乃至図４の模式図に示されるように吐出口面３ｂに複数の吐出口３ａが形成されており、双方向記録を行う。また、個々の吐出口３ａに対応して、複数の液路（図示せず）と、複数の液路にインクを供給する共通液室（図示せず）とが形成されている。なお、本明細書においては、吐出口３ａと液路とを含めてノズルと称す。図２は、色材を有するインクと反応液とを吐出する記録ヘッドが搭載されたキャリッジを示している。そして、図３は、Ｘ方向に３個の記録ヘッド３をキャリッジ２に備え付けた場合であり、図４は６個の記録ヘッドをＹ方向に２個ずつ並べて備え付けた場合である。本実施形態の各記録ヘッド３には、所定方向としてＹ方向に沿って、同色のインクが１２００ｄｐｉ（ドット／インチ）の密度で１２８０個の吐出口３ａが配置されており、キャリッジ２は主走査方向であるＸ方向に往復走査する。本実施形態では、キャリッジ２の往復走査で反応液を吐出した後に色材を有するインクを吐出して双方向記録を行うため、記録ヘッド３の両端部に反応液を吐出する吐出口列が配列されている。図２乃至図４において、３ｃが色材を有するインクのインク吐出口列であり、３ｃの両端部に設けられた３ｄがインクと反応する反応液の反応液吐出口列である。記録ヘッド３の各液路には、インクを吐出口３ａから吐出させるための吐出エネルギーを発生させるエネルギー発生素子が配置されている。本実施形態では、エネルギー発生素子として、インクを局所的に加熱して膜沸騰を起こさせ、その圧力によってインクを吐出させる電気熱変換体を用いている。本実施形態はこれに限定されるものではなく、電気機械変換素子を用いることも可能である。
【００１８】
一方、記録ヘッド３にはそれぞれ異なる色材を含有したインクを収容したインクタンクよりインクが供給される。本実施形態では、シアン、マゼンタ、イエロー、ブラックのインクと、これらのインクと反応する反応液の計５種類のインクを収容した５個のインクタンク（図示せず）が記録装置本体に装着可能となっている。そして、記録装置本体に装着された各インクタンクから、それぞれ対応する記録ヘッド３のインク供給口にチューブ（図示せず）で連結されて各記録ヘッドにインクを供給する。
【００１９】
図１において、回復処理装置７は、記録ヘッド３の各吐出口３ａからのインク吐出性能を良好な状態に保つものである。この回復処理装置７は記録装置本体１の所定の位置に保持固定されており、吸引回復機構７Ａ、７Ｂを備える。そして、これを昇降させる昇降機構（図示せず）、ワイピング回復装置９、予備吐出受け８が設けられている。吸引回復機構７Ａ、７Ｂは、回復処理の一形態である吸引回復処理を行う。ここで、吸引回復処理とは、記録ヘッドに形成された複数のノズルから強制的にインクを吸引することにより、ノズル内のインクを吐出に適した状態のインクに置き換える処理をいう。具体的には、この吸引回復機構７Ａ、７Ｂは、吐出口面３ｂをキャップで覆うと共に、そのキャップに連通する不図示のポンプによってキャップ内に負圧を発生させ、その負圧によって吐出口３ａからインクを強制的に吸引する。予備吐出受け８は、記録ヘッド３の走査領域内であり、記録領域の外側、つまり記録媒体が搬送される領域外の位置に設けられている。また、ワイピング回復機構９は、記録ヘッド３の走査経路の端部位置（例えば、記録ヘッドのホームポジション）に上下方向において対向可能な位置に設けられている。ワイピング回復機構９は、記録ヘッドの吐出口面３ｂを払拭するワイピング部材であるブレード１０と、このブレード１０の稼動部とを備えている。
【００２０】
＜従来の予備吐出／比較例＞
次に、本実施形態の予備吐出に関し、従来の予備吐出に関する比較例を図１１に示す。図１１（ａ）は、予備吐出タイミング及び予備吐出量を示しており、本例では、２０発／１００ｐｌのインク及び反応液の予備吐出を行う。図１１（ｂ）は、予備吐出タイミングと吐出時の気流を示す模式図であり、キャリッジ２を走査しながら記録ヘッド３から予備吐出受け８に対して流し予備吐出を行う様子である。そして、図１１（ｂ）に示すように、記録ヘッドの主走査方向（図のＸ方向）に関し、記録領域の両外側に設けられた予備吐出受け８を、それぞれＨＰ（ホームポジション）側・ＢＰ（バックポジション）側とする。この記録ヘッドは、主走査方向に往復走査しながら双方向記録を行う。
【００２１】
前述のように、記録ヘッド３にはインク吐出口列の両端に反応液吐出口列が設けられており、図１１（ｂ）において、３ｃはインク吐出口列であり、３ｄは反応液吐出口列である。キャリッジ２の走査中の位置について、記録前のＨＰ側タイミングを（１）、記録後のＢＰ側タイミングを（２）とする。そして（２）のタイミングからキャリッジ２が反転し、次の記録前のＢＰ側タイミングを（３）、記録後のＨＰ側タイミングを（４）とする。キャリッジ２は（１）→（２）→（３）→（４）→（１）…という順番で往復走査を行う。本実施形態では、（１）→（２）を往路、（３）→（４）を復路とする。そして、それぞれの記録前のタイミングである（１）および（３）で、インク及び反応液の予備吐出を行う。
【００２２】
インクの吐出に対して反応液を先に吐出するため、キャリッジの往復走査のうち（１）→（２）の往路の記録走査においては記録ヘッドの進行方向に対して前方のノズル、すなわち記録ヘッドの両端の反応液吐出口列のうち、ＢＰ側（図の左側）のノズルから反応液を吐出して記録を行う。よって、（１）のタイミングでは、次の往路での記録に用いるＢＰ側の反応液吐出口列から予備吐出を行う必要がある。同様に、（３）のタイミングでは、次の（３）→（４）の復路の記録走査において、記録ヘッドの進行方向に対して前方の反応液吐出口列、すなわちＨＰ側（図の右側）の反応液のノズルから予備吐出を行う必要がある。しかし、記録ヘッドの両端の反応液吐出口列の両方から予備吐出を行うと、前方の反応液吐出口列からのインクミストがインク吐出口列のフェイス面に付着しやすい。また、反応液とインクの予備吐出を同時に行うと、近接するノズルから吐出されたインクのインクミストが上昇気流によって巻き上がって付着しやすいという問題がある。
【００２３】
＜本実施形態の予備吐出＞
次に、本実施形態における予備吐出について説明する。前述の比較例と同様に、記録ヘッドは双方向記録を行い、反応液吐出口列がインク吐出口列の両端に設けられている。本実施形態の予備吐出タイミング及び予備吐出量を図７（ａ）に示す。また、予備吐出タイミングを示す模式図を図７（ｂ）に示す。図７（ａ）に示すように、本実施形態における予備吐出は比較例と同様に２０発／１００ｐｌのインク吐出量である。
【００２４】
本実施形態では、図７（ｂ）に示すように、反応液の予備吐出は、キャリッジ２の走査が記録後のＢＰ側（２）および記録後のＨＰ側（４）のタイミングにおいて、記録ヘッドの両端に設けられた反応液吐出口列のうち進行方向に対してインク吐出口列よりも後方側のノズルからのみ行う。また、色材を有するインクの予備吐出は、キャリッジ２の走査が記録前のＨＰ側（１）と記録前のＢＰ側（３）のタイミングにおいて行う。
【００２５】
その結果、色材を有するインクのインクミストは、記録前のＨＰ側タイミング（１）では、キャリッジの走査によって生じる気流により矢印Ｚ１方向へ流れ、記録前のＢＰ側タイミング（３）では、矢印Ｚ３方向へ流れる。一方、反応液のインクミストは、記録後のＢＰ側タイミング（２）では、キャリッジの走査によって生じる気流により矢印Ｚ２方向へ流れ、記録後のＨＰ側位置のタイミング（４）では、矢印Ｚ４方向へ流れる。このように、インクと反応液の予備吐出タイミングを異ならせ、さらにキャリッジ走査から生じる気流によってインクミストが進行方向に対して後方に流れることにより、吐出口面に付着することを抑制することができる。
【００２６】
以上のように、本実施形態では、反応液吐出口列からの予備吐出を行うタイミングを、所定の走査において記録媒体への記録後のタイミングとし、進行方向に対してインク吐出口列よりも後方側の反応液吐出口列からのみ流し予備吐出を行う。また、インク吐出口列からの予備吐出を行うタイミングは、反応液吐出口列からの予備吐出が行われていないタイミングであり、本実施形態では、所定の走査及びキャリッジの反転後の次の走査において、記録媒体への記録前のタイミングに行う。このように、所定の走査において記録媒体への記録前にインク吐出口列からの予備吐出を行うことにより、記録直前のインクを最適な状態にすることができ、安定した記録画質を保つことができる。
【００２７】
さらに、本実施形態では、予備吐出タイミングを最適に制御することにより、反応液吐出口列からの無駄な廃インクを削減することができる。一般に双方向記録では、反応液はインクの前に記録媒体に着弾させるため、両端の反応液吐出口列のうち記録ヘッドの進行方向に対してインク吐出口列よりも前方側の反応液吐出口列から記録を行う。このため、記録直前に予備吐出を行ってインク吐出状態を良好に保つ必要があるのは、次に記録を行うノズル、すなわち進行方向に対してインク吐出口列よりも前方側の反応液のノズルのみである。すなわち、同時に両端の反応液吐出口列から予備吐出を行う方法では、進行方向に対して、インク吐出口列よりも後方側の反応液吐出口列からの予備吐出による廃インクが無駄となってしまう。本実施形態では、反応液の予備吐出は記録後のタイミングにおいて進行方向に対して後方のみから行うため、無駄な廃インクを削減することができる。
【００２８】
＜第２の実施形態＞
以下に、本発明の第２の実施形態を示す。本実施形態に用いるインクジェット記録装置の概要は、第１の実施形態と同様である。
【００２９】
図８（ａ）は、本実施形態における予備吐出タイミング及び予備吐出量を示す図であり、図８（ｂ）は、予備吐出タイミングを示す模式図である。
【００３０】
図８において、キャリッジ２に搭載された記録ヘッド３からの色材を有するインクの予備吐出は、記録前のＨＰ側（１）のタイミングおよびＢＰ側（３）のタイミングにおいて行う。そして、第１の実施形態と同様に、記録後のＢＰ側（２）およびＨＰ側（４）のタイミングで、反応液の予備吐出を行う。このとき、キャリッジの進行方向に対して記録ヘッドの後方の反応液吐出口列から主にインクを吐出するが、進行方向に対して前方の反応液吐出口列からも吐出を行い、前方からのインク吐出量は後方からのインク吐出量よりも少ない量である。
【００３１】
本実施形態は、第１の実施形態と同様に、インクの予備吐出を反応液の予備吐出が行われていないタイミングで行わせるように制御することにより、インクミストが自己気流による上昇急流によって巻き上がるインク固着を抑制することができる。さらに、反応液の予備吐出を、キャリッジの進行方向に対してインク吐出口列よりも後方側のノズルからだけでなく前方側のノズルからも行っている。このとき、第１の実施形態に比べて無駄な廃インクが増えてしまうが、反応液吐出口列は、双方向記録を行う場合、前方側もしくは後方側のどちらかの吐出口列からしか吐出を行わないため、反応液が増粘しやすい。よって、両側の反応液吐出口列から予備吐出を行うことにより、吐出不良をより抑制することができる。また、両側の反応液吐出口列はインク吐出口列を挟んでいるためにノズルが近接しておらず、発生する上昇気流の影響が小さく、インクミストが巻き上がりにくい。さらに、進行方向に対して後方側の吐出口列から吐出するインクよりも進行方向前方側の吐出口列から吐出するインクを少なくすることによって、インクミストの付着を低減する効果を奏する。
【００３２】
＜第３の実施形態＞
以下に、本発明の第３の実施形態を示す。本実施形態に用いるインクジェット記録装置の概要については、第１の実施形態と同様である。
【００３３】
図９（ａ）は、本実施形態における予備吐出タイミング及び予備吐出量を示す図であり、図９（ｂ）は、予備吐出タイミングを示す模式図である。
【００３４】
本実施形態は、予備吐出の頻度を低減可能な場合であり、色材を有するインクの予備吐出をＨＰ側もしくはＢＰ側タイミングのどちらか一方のみで行う。図９において、キャリッジ２に搭載された記録ヘッド３のインク吐出口列からの予備吐出は、記録前のＨＰ側タイミング（１）において行う。そして、第１の実施形態と同様に、記録後のタイミングであるＢＰ側（２）およびＨＰ側（４）で、反応液吐出口列の進行方向後方のノズルから予備吐出を行う。
【００３５】
このように、本実施形態では、前述のインクミストの巻き上がりによる固着を抑制する効果を奏するだけでなく、インク吐出口列の予備吐出を片側の予備吐出受けのみで行うことにより、記録スピードを速くすることができる。
【００３６】
さらに、図１０（ａ）及び（ｂ）に反応液及びインクの予備吐出をＨＰ側もしくはＢＰ側タイミングのどちらか一方のみで行う例を示す。この場合、記録後のＨＰ側タイミング（４）のみで反応液の予備吐出を行うため、進行方向に対して前方の反応液吐出口列のノズルからも、後方の反応液吐出口列のノズルと同量の予備吐出を行う。他の実施形態に比べてインクミストの巻き上がりによる固着の影響が大きくなる可能性があるが、予備吐出を行うのがＨＰ側だけになるため、さらに速い記録スピードで記録を行うことができるという効果を奏している。
【００３７】
本実施形態は、予備吐出頻度を低減する、つまり記録速度を速くする場合の予備吐出方法であり、主に小さいサイズの記録媒体に記録を行う際に用いられることが想定される。よって、画質を重視する場合（例えば、大きなサイズの記録媒体）において第１のモードとして第１もしくは第２の実施形態を用い、記録スピードを重視する場合（例えば、小さなサイズの記録媒体）において第２のモードとして本実施形態を用いるような制御を行っても良い。
【００３８】
＜他の実施形態＞
上述した実施形態では、記録ヘッドの連続した走査においてインク及び反応液の予備吐出を行ったが、本発明はこれに限るものではなく、予備吐出を行うタイミングを制御することが可能である。すなわち、記録媒体のサイズやインクの種類に応じて、インク及び反応液の予備吐出を行う頻度を、複数回の往復走査毎としても、本発明による効果を得ることができる。また、インクと反応液の予備吐出の頻度を異ならせて、別々に制御を行ってもよい。
【００３９】
さらに、上述した実施形態では、所定の走査において、インクの予備吐出を記録媒体への記録の前に、反応液の予備吐出を記録媒体への記録の後に行っている。しかし、本発明はこれに限るものではなく、所定の走査において、インクの予備吐出を行わない場合は、反応液の走査を記録媒体への記録の前に行ってもよい。同様に、反応液の予備吐出を行わない場合は、インクの予備吐出を記録後に行ってもよい。このような形態によっても、本発明の効果である、インクミストの固着と無駄な廃インクの削減という効果を得ることができる。
【符号の説明】
【００４０】
２  キャリッジ
３  記録ヘッド
３ａ  吐出口
３ｂ  吐出口面
７  回復処理装置
７Ａ、７Ｂ  吸引回復機構
８  予備吐出受け
９  ワイピング回復装置
【図１】
2010194808.tif 000003
【図２】
2010194808.tif 000004
【図３】
2010194808.tif 000005
【図４】
2010194808.tif 000006
【図５】
2010194808.tif 000007
【図６】
2010194808.tif 000008
【図７】
2010194808.tif 000009
【図８】
2010194808.tif 000010
【図９】
2010194808.tif 000011
【図１０】
2010194808.tif 000012
【図１１】
2010194808.tif 000013